(57)【要約】【課題】手ブレを効果的に抑制することができるカメラを提供する。【解決手段】本発明のカメラは、被写体を撮像する撮像手段１〜９と、使用者が本体を把持したときの指の位置を検出するタッチセンサ２１と、カメラ１００の手ブレ量を検出するエンジン２０と、タッチセンサ２１によって検出された指の位置と、エンジン２０によって検出された手ブレ量とを関連して記憶するバッファーメモリ１１と、バッファーメモリ１１に記憶されている指の位置と手ブレ量とに基づいて、手ブレ量が少ない指の位置を決定するエンジン２０と、エンジン２０によって決定された指の位置を表示するモニタ１５とを備える。【選択図】図１
2010101929.tif 000002
【特許請求の範囲】
【請求項１】
被写体を撮像する撮像手段と、
使用者が本体を把持したときの指の位置を検出する指位置検出手段と、
前記本体の手ブレ量を検出する手ブレ量検出手段と、
前記指位置検出手段によって検出された指の位置と、前記手ブレ量検出手段によって検出された手ブレ量とを関連して記憶する記憶手段と、
前記記憶手段に記憶されている指の位置と手ブレ量とに基づいて、手ブレ量が少ない指の位置を決定する指位置決定手段と、
前記指位置決定手段によって決定された指の位置を表示する指位置表示手段とを備えることを特徴とするカメラ。
【請求項２】
請求項１に記載のカメラにおいて、
前記指位置検出手段および前記手ブレ量検出手段により指の位置および手ブレ量を検出し、前記記憶手段により前記指位置検出手段によって検出された指の位置と前記手ブレ量検出手段によって検出された手ブレ量とを関連して記憶し、前記指位置決定手段により前記記憶手段に記憶されている指の位置と手ブレ量とに基づいて手ブレ量が少ない指の位置を決定する指位置決定モードと、前記指位置表示手段により指の位置を表示しながら前記撮像手段により撮像する指位置表示撮影モードと、の間でモードを切り替えるモード切替手段と、
少なくとも前記モード切替手段によって前記指位置決定モードに切り替えられた場合、前記手ブレ量検出手段によって検出された手ブレ量が所定値以上のとき、手ブレ量が大きいことを前記使用者に報知する手ブレ報知制御手段とを備えることを特徴とするカメラ。
【請求項３】
請求項２に記載のカメラにおいて、
手ブレにより生じる前記被写体の像ブレを補正するブレ補正制御手段を備え、
前記手ブレ補正制御手段は、前記モード切替手段によって前記指位置決定モードに切り替えられた場合、前記像ブレを補正せず、前記モード切替手段によって前記指位置表示撮影モードに切り替えられた場合、前記像ブレを補正することを特徴とするカメラ。
【請求項４】
請求項１に記載のカメラにおいて、
前記指位置検出手段および前記手ブレ量検出手段により指の位置および手ブレ量を検出し、前記記憶手段により前記指位置検出手段によって検出された指の位置と前記手ブレ量検出手段によって検出された手ブレ量とを関連して記憶し、前記指位置決定手段により前記記憶手段に記憶されている指の位置と手ブレ量とに基づいて手ブレ量が少ない指の位置を決定する指位置決定モードと、前記指位置表示手段により指の位置を表示しながら前記撮像手段により撮像する指位置表示撮影モードと、の間でモードを切り替えるモード切替手段と、
手ブレにより生じる前記被写体の像ブレを補正するブレ補正制御手段とを備え、
前記手ブレ補正制御手段は、前記モード切替手段によって前記指位置決定モードに切り替えられた場合、前記像ブレを補正せず、前記モード切替手段によって前記指位置表示撮影モードに切り替えられた場合、前記像ブレを補正することを特徴とするカメラ。
【発明の詳細な説明】
【技術分野】
【０００１】
本発明はカメラに関する。
【背景技術】
【０００２】
手ブレが発生すると警告を行うカメラが従来技術として知られている（たとえば、特許文献１参照）。
【特許文献１】特開２００３−１４０２１９号公報
【発明の開示】
【発明が解決しようとする課題】
【０００３】
特許文献１に記載のカメラは、カメラの手ブレが発生していることを教えてくれるが、手ブレを抑制する方法を教えてくれない。
【課題を解決するための手段】
【０００４】
本発明の態様によると、カメラは、被写体を撮像する撮像手段と、使用者が本体を把持したときの指の位置を検出する指位置検出手段と、本体の手ブレ量を検出する手ブレ量検出手段と、指位置検出手段によって検出された指の位置と、手ブレ量検出手段によって検出された手ブレ量とを関連して記憶する記憶手段と、記憶手段に記憶されている指の位置と手ブレ量とに基づいて、手ブレ量が少ない指の位置を決定する指位置決定手段と、指位置決定手段によって決定された指の位置を表示する指位置表示手段とを備える。
【発明の効果】
【０００５】
本発明によれば、手ブレを抑制するカメラの把持の仕方を使用者に教えるので、手ブレを効果的に抑制することができる。
【発明を実施するための最良の形態】
【０００６】
以下、図を参照して本発明の実施の形態を説明する。図１は、カメラ１００の構成を示すブロック図である。本実施の形態によるカメラ１００は、撮像光学部１、ズーム制御回路２、フォーカス制御回路３、絞り制御回路４、シャッタ制御回路５、ブレ補正制御回路６、撮像素子７、撮像制御回路８、映像回路９、不揮発メモリ１０、バッファーメモリ１１、メモリ制御回路１２、メモリ１３、モニタ制御回路１４、モニタ１５、操作検出回路１６、スピーカ制御回路１７、スピーカ１８、エンジン２０、タッチセンサ２１およびストロボ３０等により構成されている。
【０００７】
撮像光学部１は、被写体像を撮像素子７に結像させる。撮像光学部１は、ズームレンズ１ａ、フォーカシングレンズ１ｂ、絞り１ｃ、シャッタ１ｄおよびブレ補正レンズ１ｅを有する。ズームレンズ１ａは撮像画角を変更するレンズであり、フォーカシングレンズ１ｂは被写体に対して焦点調節を行なうためのレンズである。絞り１ｃは、撮像光学部１を通過する光量を調節し、シャッタ１ｄは開閉動作により露光時間を制御する。ブレ補正レンズ１ｅは、光軸と直交する方向に進退駆動することによって撮像素子７上の被写体像の像ブレを抑制する。
【０００８】
ズーム制御回路２、フォーカス制御回路３、絞り制御回路４、シャッタ制御回路５およびブレ補正制御回路６は、それぞれズームレンズ１ａ、フォーカシングレンズ１ｂ、絞り１ｃ、シャッタ１ｄおよびブレ補正レンズ１ｅを駆動する。
【０００９】
撮像素子７は、ＣＣＤ（Charge Couple Device）であり、撮像光学部１によって結像された像を電気信号に変換する。なお、撮像素子７にＣＭＯＳ（Complementary Metal Oxide Semiconductor）センサを用いてもよい。撮像素子７には撮像制御回路８と映像回路９とが接続される。撮像制御回路８は、撮像素子７を駆動し、露光時間制御、結像された像の電気信号への変換、変換した電気信号の出力等を制御する。映像回路９は、撮像素子７の出力する電気信号を増幅し、デジタル信号に変換してエンジン２０に出力する。
【００１０】
不揮発メモリ１０は、エンジン２０と接続しており、エンジン２０の動作に必要なプログラム、撮影データ等を格納する。バッファーメモリ１１は、撮影データ、画像処理過程のデータ、画像処理後のデータ、画像圧縮後のデータを一時的に格納し、さらにエンジン２０におけるその他の処理過程の一次記録に使用される。メモリ制御回路１２は、メモリ１３が抜き差し可能な構造となっており、撮影画像ファイルをメモリ１３に転送、記録する。また、メモリ制御回路１２は、メモリ１３に記録されている画像ファイル等の情報を読み取り、エンジン２０に出力する。
【００１１】
モニタ制御回路１４は、ＬＣＤ（Liquid Crystal Display）等のモニタ１５と接続し、エンジン２０から出力された表示データをモニタ１５に表示させる。また、モニタ１５の点灯、消灯、表示制御を行い、モニタ１５に画像等を表示させる。
【００１２】
操作検出回路１６は、レリーズスイッチ１６ａ、電源スイッチ１６ｂ等の操作スイッチ１６０と接続しており、使用者がカメラ１００を操作すると、操作スイッチ１６０が作動し、操作検出回路１６からエンジン２０に操作情報が伝達される。
【００１３】
スピーカ制御回路１７は、エンジン２０から出力される音声データをデジタルからアナログに変換する。そして、音声データを増幅し、スピーカ１８に出力する。スピーカ１８は音声データを音声に変換し出力する。
【００１４】
エンジン２０は、不揮発性メモリ１０に格納されたプログラムにしたがってカメラ１００の動作を制御する。また、エンジン２０は、画像処理、画像再生を行う。エンジン２０は、操作スイッチ１６０の操作に応答し、その操作に対応した処理を行う。たとえば、電源の投入、消灯を行ったり、ズーム制御回路２を作動させてズーミングを行ったりする。また、フォーカス制御回路３を動作させてフォーカシングを行ったり、絞り制御回路４やシャッタ制御回路５を作動させて露出制御を行ったりする。さらに、撮像制御回路８を作動させて撮像素子７の駆動を行い、映像回路９からデジタル化した撮像素子出力を入力し、バッファーメモリ１１を使用して画像処理、画像圧縮してメモリ１３に記録する。また、メモリ１３に記録された画像ファイルを読み出し、読み出した画像ファイル、撮影した画像ファイルを、バッファーメモリ１１を使用してモニタ１５に表示させる。
【００１５】
エンジン２０は、撮影準備段階の撮像素子出力（スルー画）を、バッファーメモリ１１を使用してモニタ１５に表示させる。撮影準備段階においては、シャッタ秒時と絞りで露出を調整し、撮影光学部１を透過した光を撮像素子７に結像させる。撮像素子７に結像した被写体像はエンジン２０によって周期的に画像処理され、被写体を動画的にモニタ１５に表示させる。
【００１６】
また、エンジン２０は、スルー画から動きベクトルを検出して手ブレの方向や手ブレ量を検出する。そして、検出した手ブレの方向や手ブレ量に基づいて、ブレ補正制御回路６を動作させ、ブレ補正レンズ１ｅを光軸と直交する方向に進退駆動させる。これにより、被写体の像ブレを補正することができる（自動手ブレ補正）。
【００１７】
さらに、エンジン２０は、スルー画のコントラストを検出し、フォーカスレンズ１ｂを移動させ、最もコントラストの高いフォーカスレンズ位置を検索し、その検索した位置にフォーカスレンズ１ｂを移動させることでオードフォーカス（ＡＦ）を行う。また、スルー画の輝度レベルを検出し、検出した輝度レベルから絞り１ｃとシャッタ秒時を設定して自動露光調整（ＡＥ）を行う。
【００１８】
タッチセンサ２１はモニタ１５の表面に配置され、モニタ１５に指が触れると、接触位置および接触範囲を読み取り、その情報をエンジン２０に出力する。タッチセンサ２１は透明であり、使用者はタッチセンサ２１を通してモニタ１５に表示された画像を視認することができる。
【００１９】
ストロボ３０は被写体を照明する。ストロボ３０は、エンジン２０の指示にしたがって不図示のメインコンデンサを充電し、キセノン管を発光消灯して、被写体を照明する。ストロボ３０は、撮影時の照明の他に、赤目防止の照明を行ったり、撮影前の測光時の照明を行ったりする。
【００２０】
図２を参照して、本発明の実施の形態におけるカメラ１００の指位置表示を説明する。図２はカメラ１００の背面図である。カメラ１００の背面のほぼ全面にモニタ１５が設けられており、モニタ１５の表示画面にはタッチセンサ２１が設けられている。カメラ１００の上面にはレリーズスイッチ１６ａが設けられている。表示モニタ１５には、スルー画１５ａとともに、指位置を示す指配置領域１５ｂが表示される。指配置領域１５ｂは、カメラ１００を構えたときに手ブレを抑制できる指の位置を示す。
【００２１】
図３を参照して、使用者がカメラ１００を構えたときの指の位置を説明する。図３（ａ）はカメラ１００を正面から見たときの指の位置を説明するための図であり、図３（ｂ）はカメラ１００を背面から見たときの指の位置を説明するための図である。図３（ｂ）に示すように、カメラ１００を構えたときに指配置領域１５ｂに親指を載せることにより、カメラ１００の手ブレを抑制することができる。
【００２２】
次に、本発明の実施形態におけるカメラ１００の制御処理について、図４および図５のフローチャートを参照して説明する。図４および図５の処理は、カメラ１００の電源がオンされるとスタートするプログラムによりエンジン２０において実行される。ここで、エンジン１００はカメラ１００の手ブレを常に検出しているものとして説明する。
【００２３】
ステップＳ００１では、カメラ１００の回路システムを初期化する。ステップＳ００２では、ズームレンズ１ａのレンズ位置やフォーカシングレンズ１ｂのレンズ位置を初期位置に移動する等のレンズ初期化を行う。カメラ１００がレンズを収納されるタイプであれば、レンズを撮影可能位置に繰り出す。ステップＳ００３では、撮像素子７を起動し、スルー画の撮影が可能となる状態にする。
【００２４】
ステップＳ００４では、モニタ１５を点灯させ、モニタ１５にスルー画を表示させる。ステップＳ００５では、操作スイッチ１６０の状態からカメラ１００の動作モードを検出し、カメラ１００の動作モードが撮影モードであるか否かを判定する。使用者による操作スイッチ１６０の操作によってカメラ１００の動作モードは切り替わる。撮影モードである場合はステップＳ００５が肯定判定され、ステップＳ００６へ進む。撮影モードでない場合はステップＳ００６が否定判定され、ステップＳ０１９へ進む。
【００２５】
ステップＳ００６では、手ブレ補正機能（ＶＲ）をＯＮ状態にする。つまり、ブレ補正制御回路６を動作させて撮像素子７上の被写体像の像ブレを抑制するようにする。ステップＳ００７では、指位置領域、つまり、手ブレ量が最小となる指の位置および範囲をモニタ１５に表示する。この指の位置および範囲は、予めカメラ１００に記憶されており、後述するホールド位置設定処理によって更新される。
【００２６】
ステップＳ００８では、被写体の輝度を測定し、スルー画が適正露出になるようにシャッタ秒時や絞り１ｃ等を制御して自動露光調整を行う。ステップＳ００９では、被写体色を測定し、モニタ１５の画像が最適な色になるように色（ＲＧＢ）毎の増幅率を制御し、ホワイトバランスを調整する（オートホワイトバランス（ＡＷＢ））。ステップＳ０１０では、スルー画のコントラストを検出し、それに基づいてフォーカスレンズ１ｂを移動させてオートフォーカスを行う。
【００２７】
ステップＳ０１１では、レリーズスイッチ１６ａが半押しされているか否かを判定する。ここで半押しとは、使用者がレリーズスイッチ１６ａを軽く抵抗を感じるところまで押して、そのまま指を止めるレリーズスイッチ１６ａの押圧状態をいう。さらに、使用者がレリーズスイッチ１６ａを半押しの状態から深く押し込むことを全押しという。レリーズスイッチ１６ａが半押しされている場合はステップＳ０１１が肯定判定され、ステップＳ０１２へ進む。レリーズスイッチ１６ａが半押しされていない場合はステップＳ０１１が否定判定され、ステップＳ０２５へ進む。
【００２８】
ステップＳ０１２では、スルー画が適正露出になるように自動露光調整を行う。ステップＳ０１３では、モニタ１５の画像が最適な色になるように色毎の増幅率を制御し、オートホワイトバランスを行う。ステップＳ０１４では、被写体に焦点が合うように、オートフォーカスを行う。
【００２９】
ステップＳ０１５では、レリーズスイッチ１６ａが全押しされているか否かを判定する。レリーズスイッチ１６ａが全押しされている場合はステップＳ０１５が肯定判定され、ステップＳ０１６へ進む。レリーズスイッチ１６ａが全押しされていない場合はステップＳ０１５が否定判定され、ステップＳ０２７へ進む。
【００３０】
ステップＳ０１６では、撮影モードが静止画モードであるか否かを判定する。ここで、撮影モードには静止画を撮影する静止画モードと、動画を撮影する動画モードとがある。撮影モードが静止画モードである場合はステップＳ０１６が肯定判定され、ステップＳ０１７へ進む。撮影モードが静止画モードでない場合、つまり、撮影モードが動画モードである場合はステップＳ０１６が否定判定され、ステップＳ０２８へ進む。
【００３１】
ステップＳ０１７では、ステップＳ０１２で調整した露出で静止画の撮影を行う。ステップＳ０１８では、撮影した画像データをステップＳ０１３で調整したホワイトバランスで画像処理を行い、画像処理を行った画像データをメモリ１３に記録する。そして、モニタ１５にスルー画を表示させるようにして、ステップＳ００５に戻る。
【００３２】
ステップＳ０１９では、操作スイッチの状態からカメラ１００の動作モードを検出し、カメラ１００の動作モードがホールド位置設定モードであるか否かを判定する。ホールド位置設定モードとは、カメラ１００の手ブレが小さいときの指の位置を設定するモードである。カメラ１００の動作モードがホールド位置設定モードである場合はステップＳ０１９が肯定判定され、ステップＳ０２０へ進む。カメラ１００の動作モードがホールド位置設定モードでない場合はステップＳ０１９が否定判定され、ステップＳ０２１へ進む。ステップＳ０２０では、ホールド位置設定処理を行う。ホールド位置設定処理の詳細については後述する。そして、ステップＳ００８へ進む。
【００３３】
ステップＳ０２１では、操作スイッチ１６０の状態からカメラ１００の動作モードを検出し、カメラ１００の動作モードが再生モードであるか否かを判定する。再生モードとは、メモリ１３等に記録されている画像を再生するモードである。カメラ１００の動作モードが再生モードである場合はステップＳ０２１が肯定判定され、ステップＳ０２２へ進む。カメラ１００の動作モードが再生モードでない場合はステップＳ０２１が否定判定され、ステップＳ００５に戻る。ステップＳ０２２では、手ブレ補正機能をＯＦＦ状態にする。ステップＳ０２３では、撮像素子７の動作をＯＦＦ状態にする。ステップＳ０２４では、再生処理を行う。この再生処理は従来技術と異ならないので説明を省略する。
【００３４】
ステップＳ０２５では、操作スイッチ１６０の状態から電源がＯＮ状態であるか否かを判定する。電源がＯＮ状態である場合はステップＳ０２５が肯定判定され、ステップＳ００５に戻る。電源がＯＮ状態でない場合はステップＳ０２５が否定判定され、ステップＳ０２６へ進む。ステップＳ０２６では、電源をＯＦＦ状態にし、処理を終了する。
【００３５】
ステップＳ０２７では、レリーズスイッチ１６ａが半押しされているか否かを判定する。レリーズスイッチ１６ａが半押しされている場合はステップＳ０２７が肯定判定され、ステップＳ０１５に戻る。レリーズスイッチ１６ａが半押しされていない場合はステップＳ０２７が否定判定され、ステップＳ００５に戻る。
【００３６】
ステップＳ０２８では、ステップＳ０１２で調整した露出と、ステップＳ０１３で調整したホワイトバランスとで動画撮影を開始する。ステップＳ０２９では、レリーズスイッチ１６ａが全押しされているか否かを判定する。レリーズスイッチ１６ａが全押しされている場合はステップＳ０２９を繰り返す。レリーズスイッチ１６ａが全押しされていない場合はステップＳ０２９が否定判定され、ステップＳ０３０へ進む。ステップＳ０３０では、動画撮影を終了する。ステップＳ０３１では、撮影された動画をメモリ１３等に記録する。そして、スルー画をモニタ１５に表示して、ステップＳ００５に戻る。
【００３７】
次に、図５を参照してステップＳ０２０のホールド位置設定処理を説明する。ステップＳ１０１では、手ブレ補正機能をＯＦＦ状態にする。ステップＳ１０２では、タッチセンサ２１が検出した接触位置、接触範囲に基づいて、使用者がカメラ１００を把持しているときにモニタ１５を押圧する指の位置を検出する。ステップＳ１０３では、モニタ１５を押圧している指が有るか否かを判定する。モニタ１５を押圧している指がある場合はステップＳ１０３が肯定判定され、ステップＳ１０４へ進む。モニタ１５を押圧している指がない場合はステップＳ１０３が否定判定され、ステップＳ１１３へ進む。
【００３８】
ステップＳ１０４では、タッチセンサ２１が検出した接触範囲に基づいて、モニタ１５に掛かっている指の指掛かり量が所定値より小さいか否かを判定する。指掛かり量が所定値より小さい場合はステップＳ１０４が肯定判定され、ステップＳ１０５へ進む。指掛かり量が所定値以上の場合はステップＳ１０４が否定判定され、ステップＳ１１５へ進む。ステップＳ１０５では、タッチセンサ２１が検出した接触位置、接触範囲に基づいて、モニタ１５を押圧している指の移動がないか否かを判定する。モニタ１５を押圧している指の移動がない場合はステップＳ１０５が肯定判定され、ステップＳ１０６へ進む。モニタ１５を押圧している指が移動した場合はステップＳ１０５が否定判定され、ステップＳ１１３へ進む。
【００３９】
ステップＳ１０６では、モニタ１５を押圧している指の移動が止まっている時間、つまり指位置固定時間が所定時間以上になったか否かを判定する。指位置固定時間が所定時間以上になった場合はステップＳ１０６が肯定判定され、ステップＳ１０７へ進む。指位置固定時間が所定時間以上になっていない場合はステップＳ１０６が否定判定され、ステップＳ１１３へ進む。ステップＳ１０７では、指位置固定時間にエンジン２０が検出した手ブレ量の平均値、つまり平均ブレ量を算出する。ステップＳ１０８では、平均ブレ量をバッファーメモリ１１に一次記録させる。ステップＳ１０９では、ステップＳ１０８で記録した平均ブレ量に関連付けて指位置固定時間にタッチセンサ２１によって検出された指位置、指の接触範囲をバッファーメモリ１１に一次記録させる。
【００４０】
ステップＳ１１０では、平均ブレ量が所定値Ａより小さいか否かを判定する。平均ブレ量が所定値Ａより小さい場合はステップＳ１１０が肯定判定され、ステップＳ１１１へ進む。平均ブレ量が所定値Ａ以上の場合はステップＳ１１０が否定判定され、ステップＳ１１６へ進む。
【００４１】
ステップＳ１１１では、平均ブレ量が記録ブレ量より小さいか否かを判定する。記録ブレ量は、バッファーメモリ１１に記録されている所定のブレ量である。後述のステップＳ１１３において記録ブレ量は更新される。また、この記録ブレ量に関連して所定の指位置と接触範囲も記録されている。この所定の指位置と接触範囲も後述のステップＳ１１３において更新される。平均ブレ量が記録ブレ量より小さい場合はステップＳ１１１が肯定判定され、ステップＳ１１２へ進む。平均ブレ量が記録ブレ量以上の場合はステップＳ１１１が否定判定され、ステップＳ１１９へ進む。ステップＳ１１２では、所定の推奨音をスピーカ１８から出力させる。推奨音とは、検出された手ブレが今まで最小であることを使用者に報知する音声である。
【００４２】
ステップＳ１１３では、記録ブレ量および平均ブレ量のうちの最小のブレ量を記録ブレ量としてバッファーメモリ１１に記憶させる。また、最小のブレ量に関連する指位置および接触範囲もバッファーメモリ１１に記憶させる。ステップＳ１１４では、バッファーメモリ１１に一時記憶させていた平均ブレ量、指位置および接触範囲の情報を消去する。そして、ホールド位置設定処理を終了し、図４のステップＳ００７へ進む。このとき、カメラ１００の動作モードをホールド位置設定モードから撮影モードへ切り替える。
【００４３】
ステップＳ１１５では、指掛かり警告を行い、使用者に指掛かり量が大きいことを警告する。具体的には、指掛かり量が大きすぎることを報知する警告音をスピーカ１８から出力させる。そして、ステップＳ１１３へ進む。
【００４４】
ステップＳ１１６では、平均ブレ量が所定値Ａ以上、所定値Ｂ未満であるか否かを判定する。平均ブレ量が所定値Ａ以上、所定値Ｂ未満である場合はステップＳ１１６が肯定判定され、ステップＳ１１７へ進む。平均ブレ量が所定値Ａ以上、所定値Ｂ未満でない場合、つまり、平均ブレ量が所定値Ｂ以上の場合はステップＳ１１６が否定判定され、ステップＳ１１８へ進む。ステップＳ１１７では、所定の注意音をスピーカ１８から出力させる。ここで、注意音とは、検出した手ブレが大きいことを使用者に報知して注意を促す音声である。そして、ステップＳ１１３へ進む。ステップＳ１１８では、所定の警告音をスピーカ１８から出力させる。ここで、警告音とは、検出した手ブレが大きいことを使用者に警告する音声である。そして、ステップＳ１１３へ進む。
【００４５】
ステップＳ１１９では、所定の許容範囲音をスピーカ１８から出力させる。ここで、許容範囲音とは、検出した手ブレが撮影に対して許容範囲であることを使用者に報知する音声である。そして、ステップＳ１１３へ進む。
【００４６】
以上説明した実施形態によれば、次の作用効果が得られる。
（１）使用者がカメラ１００を把持したときの指の位置を検出するタッチセンサ２１と、カメラ１００の手ブレ量をスルー画像から検出するエンジン２０と、タッチセンサ２１によって検出された指の位置と、エンジン２０によって検出された手ブレ量とを関連して記憶するバッファーメモリ１１と、カメラ１００の背面に設けられたモニタ１５を備え、エンジン２０は、バッファーメモリ１１に記憶されている指の位置と手ブレ量とに基づいて、手ブレ量が少ない指の位置を決定し、決定された指の位置をモニタ１５に表示するようにした。これにより、手ブレを抑制するカメラ１００の把持の仕方を使用者に教えることができるので、カメラ１００の手ブレを効果的に抑制することができる。
【００４７】
（２）少なくともホールド位置設定モードに切り替えられた場合、検出された手ブレ量が所定値以上のとき、手ブレ量が大きいことを使用者に報知するようにした。これにより、使用者は、現在のカメラ１００の把持の仕方では手ブレを抑えることができないことを認識することができる。使用者は、この報知に基づいてカメラ１００を把持したときの指の位置を変えることになり、最終的に手ブレを小さく抑えることのできる位置に指を載せることができる。そして、この指の位置は記録され、モニタ１５に表示されるようになる。
【００４８】
（３）ホールド位置設定モードに切り替えられた場合、手ブレ補正の機能を動作させないようにした。これにより、カメラ１００の手ブレ量の検出精度を高くすることができ、手ブレを抑えることができる指の位置を確実に表示させることができる。
【００４９】
（４）検出された手ブレ量が所定値より小さいとき、手ブレ量が小さいことを使用者に報知するようにした。これにより、使用者は、手ブレ量が小さくなる指の位置を見つけ出すことができ、その指の位置を記録させてモニタ１５に表示させることができる。
【００５０】
（５）モニタ１５に掛かっている指の指掛かり量が所定値以上のとき、ユーザに警告するようにした。これにより、スルー画１５ａの表示部分に指が掛かっている状態で指の位置が検出され、表示される指位置１５ｂがスルー画１５ａと重なってしまうのを防止することができる。スルー画１５ａの上に指が載るとスルー画１５ａが見づらくなるからである。
【００５１】
（６）モニタ１５を押圧している指が所定時間以上動いていないときに検出した手ブレ量を使用して、手ブレを抑制することができる指の位置を決定するようにした。これにより、手ブレを抑制することができる指の位置を確実に決定することができる。
【００５２】
（７）手ブレ量の平均値に基づいて、手ブレを抑えることができる指の位置を決定するようにした。これにより、手ブレを抑えることができる位置に指を置いたにもかかわらず、使用者の呼吸などで手ブレ量が偶然大きくなり、その位置が手ブレ量を抑えることができる指の位置として決定されないのを防止することができる。
【００５３】
以上の実施の形態を次のように変形することができる。
（１）撮影した画像からカメラ１００の手ブレを検出したが、角加速度や加速度を検出してカメラ１００の手ブレを検出するようにしてもよい。この場合、カメラ１００は角加速度センサや加速度センサを備えることになる。
【００５４】
（２）カメラ１００の手ブレ量が所定値以上のとき、手ブレ量が大きいことを音声によって使用者に報知したが、モニタ１５の表示によって使用者に報知するようにしてもよい。たとえば、文字で「手ブレ注意！」と表示するようにしてもよい。
【００５５】
（３）手ブレを抑えることのできる指の位置のみを表示して、接触範囲を表示しないようにしてもよい。指の位置が決まれば、接触範囲も大体決まるからである。たとえば、円マークをモニタ１５に表示して、円マークを指の腹の部分で押すようにしてもよい。
【００５６】
（４）撮影モードのときも検出された手ブレ量が所定値以上のとき、手ブレ量が大きいことを使用者に報知するようにしてもよい。
【００５７】
実施形態と変形例の一つ、もしくは複数を組み合わせることも可能である。変形例同士をどのように組み合わせることも可能である。
【００５８】
以上の説明はあくまで一例であり、本発明は上記実施形態の構成に何ら限定されるものではない。
【図面の簡単な説明】
【００５９】
【図１】本発明の実施形態におけるカメラの構成を説明するブロック図である。
【図２】本発明の実施形態におけるカメラの背面図である。
【図３】本発明の実施形態におけるカメラ１００を把持したときの使用者の指の位置を説明するための図である。
【図４】本発明の実施形態におけるカメラの制御処理を説明するためのフローチャートである。
【図５】本発明の実施形態におけるカメラのホールド位置設定処理を説明するためのフローチャートである。
【符号の説明】
【００６０】
１  撮影光学部
７  撮像素子
１１  バッファーメモリ
１３  メモリ
１５  モニタ
１６ａ  レリーズスイッチ
１８  スピーカ
２０  エンジン
１００  カメラ
１６０  操作スイッチ
【図１】
2010101929.tif 000003
【図２】
2010101929.tif 000004
【図３】
2010101929.tif 000005
【図４】
2010101929.tif 000006
【図５】
2010101929.tif 000007